【事件の表示】
　特願２００９−５１８３７４「フォトルミネッセンスカラー液晶ディスプレイ」拒絶査定不服審判事件〔平成２０年　１月１０日国際公開、ＷＯ２００８／００５５０８、平成２１年１２月　３日国内公表、特表２００９−５４３１３０〕について、次のとおり審決する。
【結　論】
　本件審判の請求は、成り立たない。
【理　由】
１　手続の経緯
　本願は、２００７年７月６日（パリ条約による優先権主張外国庁受理２００６年７月６日、米国、２００７年７月３日、米国）を国際出願日とする出願であって、平成２１年３月５日付けで国際出願翻訳文提出書が提出され、平成２２年１１月５日付けで手続補正がなされ、平成２３年９月２日付けで拒絶査定がなされ、これに対し、平成２４年１月６日に拒絶査定に対する審判請求がなされると同時に手続補正がなされたものである。
　その後、同年６月１４日付けで、審判請求人に前置報告書の内容を示し意見を求めるための審尋を行ったところ、同年１１月１５日に回答書が提出された。
　
２　平成２４年１月６日付けの手続補正についての補正却下の決定
［補正却下の決定の結論］
　平成２４年１月６日付けの手続補正（以下「本件補正」という。）を却下する。
［理由］
（１）補正後の本願発明
　本件補正は、特許請求の範囲についての補正であり、本件補正により、特許請求の範囲は、
「　【請求項１】
　ディスプレイパネルと、ディスプレイを動作させる励起放射を生成するための放射源とを含む、フォトルミネッセンス液晶ディスプレイであって、ディスプレイパネルが、透明な前面および背面プレートと、前面および背面プレートの間に配設される液晶と、ディスプレイの赤色、緑色および青色ピクセル区域を画定し、光のピクセル区域透過を制御するため、液晶にわたって電界を選定的に誘起するようにピクセル区域で動作可能な電極のマトリクスと、赤色ピクセル区域に対応する背面プレートに提供される、励起放射に反応して赤色光を放出する赤色蛍光体材料と、緑色ピクセル区域に対応する背面プレートに提供される、励起放射に反応して緑色光を放出する緑色蛍光体材料とを含み、
　青色ピクセル区域に対応する背面プレートに提供される、励起放射に反応して青色光を放出する青色蛍光体材料をさらに含み、
　蛍光体材料が背面プレートの下面に提供され、
　前面プレートに第一偏光フィルター層および背面プレートに第二偏光フィルター層をさらに含み、第一偏光フィルター層の偏光方向の向きが第二偏光フィルター層の偏光方向に対して垂直である、フォトルミネッセンス液晶ディスプレイ。
　　【請求項２】
　赤色蛍光体が式（Ｓｒ，Ｂａ，Ｍｇ，Ａｌ）３ＳｉＯ５：Ｅｕ２＋，Ｆを有し、緑色蛍光体が式（Ｓｒ，Ｂａ，Ｍｇ）２ＳｉＯ４：Ｅｕ２＋，Ｆを有し、放射源が４００〜４８０nmの範囲の波長を有する青色光を放出する光放出ダイオードである、請求項１記載の液晶ディスプレイ。
　　【請求項３】
　赤色蛍光体が（Ｓｒ，Ｂａ，Ｍｇ，Ａｌ）３ＳｉＯ５：Ｅｕ２＋，Ｆ、Ｃａ２ＮａＭｇ２Ｖ３Ｏ１２：Ｅｕ３＋およびＹＶＯ４：Ｅｕからなる群より選択され、緑色蛍光体が（Ｓｒ，Ｂａ，Ｍｇ）２ＳｉＯ４：Ｅｕ２＋，Ｆおよび（Ｂａ，Ｅｕ）（Ｍｇ，Ｍｎ）Ａｌ１０Ｏ１７からなる群より選択され、青色蛍光体がＢａＭｇＡｌ１０Ｏ１７：Ｅｕ、（Ｓｒ，Ｃａ，Ｂａ，Ｍｇ）１０（ＰＯ４）６Ｃｌ２：Ｅｕ、（Ｂａ，Ｓｒ，Ｅｕ）（Ｍｇ，Ｍｎ）Ａｌ１０Ｏ１７、Ｓｒ１０（ＰＯ４）６Ｃｌ２：Ｅｕおよび（Ｂａ，Ｅｕ）ＭｇＡｌ１０Ｏ１７からなる群より選択され、放射源が３６０〜４００nmの範囲の波長を有する光を放出するＵＶ放出光放出ダイオードである、請求項１記載の液晶ディスプレイ。
　　【請求項４】
　赤色蛍光体がＹ２Ｏ３：ＥｕおよびＹＶＯ４：Ｅｕからなる群より選択され、緑色蛍光体がＬａＰＯ４：Ｃｅ，Ｔｂ、（Ｃｅ，Ｔｂ）（Ｍｇ）Ａｌ１１Ｏ１９および（Ｂａ，Ｅｕ）（Ｍｇ，Ｍｎ）Ａｌ１０Ｏ１７からなる群より選択され、青色蛍光体が（ＳｒＣａＢａＭｇ）５（ＰＯ４）３Ｃｌ:Ｅｕ、（Ｂａ，Ｅｕ）Ｍｇ２Ａｌ１６Ｏ２７、（Ｂａ，Ｓｒ，Ｅｕ）（Ｍｇ，Ｍｎ）Ａｌ１０Ｏ１７、Ｓｒ１０（ＰＯ４）６Ｃｌ２：Ｅｕ、（Ｂａ，Ｅｕ）ＭｇＡｌ１０Ｏ１７からなる群より選択され、励起放射が２５４nmオーダーの波長を有するＵＶ光を含む、請求項１記載の液晶ディスプレイ。
　　【請求項５】
　赤色蛍光体が式（Ｙ，Ｇｄ）ＢＯ３：Ｅｕを有し、緑色蛍光体が式Ｚｎ２ＳｉＯ４：Ｍｎを有し、青色蛍光体が式ＢａＭｇＡｌ１０Ｏ１７：Ｅｕを有し、放射源が１４７〜１９０nmの範囲の波長を有するプラズマ放出光である、請求項１記載の液晶ディスプレイ。
　　【請求項６】
　電極のマトリクスが薄膜トランジスタのアレイを含み、一つの薄膜トランジスタが各ピクセルに対応する、請求項１〜５のいずれか１項記載の液晶ディスプレイ。
　　【請求項７】
　薄膜トランジスタが前面プレートに提供される、請求項６記載の液晶ディスプレイ。
　　【請求項８】
　薄膜トランジスタが背面プレートに提供される、請求項６記載の液晶ディスプレイ。
　　【請求項９】
　放射源が単色励起源および準単色励起源からなる群より選択されるバックライティングユニットを含む、請求項１〜５のいずれか１項記載の液晶ディスプレイ。
　　【請求項１０】
　蛍光体材料が背面プレートの上面に提供される、請求項１〜５のいずれか１項記載の液晶ディスプレイ。」
から
「【請求項１】
　ディスプレイパネルと、ディスプレイを動作させる励起放射を生成するための放射源とを含む、フォトルミネッセンス液晶ディスプレイであって、ディスプレイパネルが、透明な前面および背面プレートと、前面および背面プレートの間に配設される液晶と、ディスプレイの赤色、緑色および青色ピクセル区域を画定し、光のピクセル区域透過を制御するため、液晶にわたって電界を選定的に誘起するようにピクセル区域で動作可能な電極のマトリクスと、赤色ピクセル区域に対応する背面プレートに提供される、励起放射に反応して赤色光を放出する赤色蛍光体材料と、緑色ピクセル区域に対応する背面プレートに提供される、励起放射に反応して緑色光を放出する緑色蛍光体材料とを含み、
　青色ピクセル区域に対応する背面プレートに提供される、励起放射に反応して青色光を放出する青色蛍光体材料をさらに含み、
　蛍光体材料が背面プレートの下面に提供され、
　
蛍光体材料が、放射源によって生成された励起放射が液晶に到達して液晶の低下を引き起こすことを防ぐように構成され、
　前面プレートに第一偏光フィルター層および背面プレートに第二偏光フィルター層をさらに含み、第一偏光フィルター層の偏光方向の向きが第二偏光フィルター層の偏光方向に対して垂直である、フォトルミネッセンス液晶ディスプレイ。
　　【請求項２】
　赤色蛍光体が式（Ｓｒ，Ｂａ，Ｍｇ，Ａｌ）３ＳｉＯ５：Ｅｕ２＋，Ｆを有し、緑色蛍光体が式（Ｓｒ，Ｂａ，Ｍｇ）２ＳｉＯ４：Ｅｕ２＋，Ｆを有
する、
　　【請求項３】
　赤色蛍光体が（Ｓｒ，Ｂａ，Ｍｇ，Ａｌ）３ＳｉＯ５：Ｅｕ２＋，Ｆ、Ｃａ２ＮａＭｇ２Ｖ３Ｏ１２：Ｅｕ３＋およびＹＶＯ４：Ｅｕからなる群より選択され、緑色蛍光体が（Ｓｒ，Ｂａ，Ｍｇ）２ＳｉＯ４：Ｅｕ２＋，Ｆおよび（Ｂａ，Ｅｕ）（Ｍｇ，Ｍｎ）Ａｌ１０Ｏ１７からなる群より選択され、青色蛍光体がＢａＭｇＡｌ１０Ｏ１７：Ｅｕ、（Ｓｒ，Ｃａ，Ｂａ，Ｍｇ）１０（ＰＯ４）６Ｃｌ２：Ｅｕ、（Ｂａ，Ｓｒ，Ｅｕ）（Ｍｇ，Ｍｎ）Ａｌ１０Ｏ１７、Ｓｒ１０（ＰＯ４）６Ｃｌ２：Ｅｕおよび（Ｂａ，Ｅｕ）ＭｇＡｌ１０Ｏ１７からなる群より選択され、放射源が３６０〜４００nmの範囲の波長を有する光を放出するＵＶ放出光放出ダイオードである、請求項１記載の液晶ディスプレイ。
　　【請求項４】
　赤色蛍光体がＹ２Ｏ３：ＥｕおよびＹＶＯ４：Ｅｕからなる群より選択され、緑色蛍光体がＬａＰＯ４：Ｃｅ，Ｔｂ、（Ｃｅ，Ｔｂ）（Ｍｇ）Ａｌ１１Ｏ１９および（Ｂａ，Ｅｕ）（Ｍｇ，Ｍｎ）Ａｌ１０Ｏ１７からなる群より選択され、青色蛍光体が（ＳｒＣａＢａＭｇ）５（ＰＯ４）３Ｃｌ:Ｅｕ、（Ｂａ，Ｅｕ）Ｍｇ２Ａｌ１６Ｏ２７、（Ｂａ，Ｓｒ，Ｅｕ）（Ｍｇ，Ｍｎ）Ａｌ１０Ｏ１７、Ｓｒ１０（ＰＯ４）６Ｃｌ２：Ｅｕ、（Ｂａ，Ｅｕ）ＭｇＡｌ１０Ｏ１７からなる群より選択され、励起放射が２５４nmオーダーの波長を有するＵＶ光を含む、請求項１記載の液晶ディスプレイ。
　　【請求項５】
　赤色蛍光体が式（Ｙ，Ｇｄ）ＢＯ３：Ｅｕを有し、緑色蛍光体が式Ｚｎ２ＳｉＯ４：Ｍｎを有し、青色蛍光体が式ＢａＭｇＡｌ１０Ｏ１７：Ｅｕを有し、放射源が１４７〜１９０nmの範囲の波長を有するプラズマ放出光である、請求項１記載の液晶ディスプレイ。
　　【請求項６】
　電極のマトリクスが薄膜トランジスタのアレイを含み、一つの薄膜トランジスタが各ピクセルに対応する、請求項１〜５のいずれか１項記載の液晶ディスプレイ。
　　【請求項７】
　薄膜トランジスタが前面プレートに提供される、請求項６記載の液晶ディスプレイ。
　　【請求項８】
　薄膜トランジスタが背面プレートに提供される、請求項６記載の液晶ディスプレイ。
　　【請求項９】
　放射源が単色励起源および準単色励起源からなる群より選択されるバックライティングユニットを含む、請求項１〜５のいずれか１項記載の液晶ディスプレイ。」
と補正された。（下線は、審決で付した。以下、同様。）
　
　補正後の請求項１が補正前の請求項１に対応していることは明らかである。
　上記請求項１についての補正は、補正前の請求項１に記載された発明を特定するために必要な事項である「蛍光体材料」について、「蛍光体材料が、放射源によって生成された励起放射が液晶に到達して液晶の低下を引き起こすことを防ぐように構成され」と限定したものであって、特許法第１７条の２第５項第２号の特許請求の範囲の減縮を目的とするものに該当する。
　
　そこで、本件補正後の請求項１に記載された発明（以下「本願補正発明」という。）が特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について以下に検討する。
　
（２）引用刊行物
　原査定の拒絶の理由に引用され、本願の優先権主張日前に頒布された特開昭６０−６１７２５号公報（以下「刊行物１」という。）には、以下の記載が図とともにある。
　ア　「本発明は液晶セルの内部にカラー螢光体を内設した
カラー液晶表示装置
　イ　「まず、ガラス基板１とカラー螢光体層４との接着性を改善するためにアミノシラン化合物で処理を行なった。具体的には、アミノシラン化合物としてＣ６００（トーレシリコーン製）を用い、約０．０１Ｖｏｌ％の割合でエチルアルコールに溶かし、この溶液中にガラス基板１を浸漬し、その後、オーブン中で１２０℃に昇温し３０分間加熱した。この基板処理の後、上記
螢光材科を混入した樹脂を一方のガラス基板１の上に印刷し
螢光材料を混入した３色からなる樹脂
この上に偏光層１１が設け
その上に
透明導電膜２を層設する
単純ＸＹマトリックス方式の場合
透明導電膜２はストライプ状にパターン化し
螢光体層４のパターンと透明導電膜２との位置関係は規制され
さらにこの上に
形成
配向層３
　一方、この基板に対向する
もう１枚の基板１’では透明電極２’のパターン化を行なった後
配向層３’を設け
一方の基板上に
ガラス微粉末を散布し
両基板を貼合せ、硬化させ
ネマティック液晶を注入する
ツィステッドネマティック型
　ウ　「上記工程により製作した
カラー液晶セルの後面に紫外光を発するブラックライトや螢光灯などの光源８を置いて前面から観察する
ガラス基板１’の内面に透明電極２’が形成され、その上には液晶分子配向層３’が設けられ
背面側基板１の内面には
カラー螢光体層４が層設されている
カラー螢光体層４は赤，緑，青の螢光材料５’，５”，５’”を含有している
両ガラス基板１，１’間には液晶６が介在しており、電源７からの電圧印加に応答して液晶分子６が配向変換され背面側からの光源８の透過によりカラー表示が行なわれる
光源８の励起光９がカラー螢光体層４に含有されている螢光材料５’，５”，５’”を励起するため、カラー螢光体層４より螢光１０が発せられ
液晶セル内の透明電極２，２’間に電界が印加されない状態では、螢光１０は偏光層１１により偏光され、液晶層６に入射する
液晶層６はツィステッドネマティック状態に配向しているので入射光は偏波面が９０度回転させられた後液晶層６を出射して偏光板１２に入射する
偏光層１１と偏光板１２は直交状態（クロスニコル）に配置されているが、液晶層を通過した光は偏光面が９０度回転しているので偏光板１２も通過し観測者１３に達する
　エ　「上記実施例以外に、一方の基板上に螢光体層、透明導電膜、偏光膜、配向膜をこの順に積層した構成とすることもでき、偏光膜で配向膜を兼ねるようにしても良い。また偏光膜を螢光体層と基板の間に層設することもできるが、この場合には偏光膜は励起光に対して偏光能を有すること及び螢光体層中の螢光分子を配向させ、螢光が一定方向の偏光となるようにすることが必要条件となる。」（第３頁右下欄第１２〜１９行）
　オ　図から、
ガラス基板１の後面に光源８が配置
ガラス基板１’の上に偏光板１２が設けられている
　　
　上記記載及び図面を含む刊行物１全体の記載から、刊行物１には、以下の発明が開示されていると認められる。
「螢光材科を混入した３色からなる樹脂を一方のガラス基板１の上に印刷し、この上に偏光層１１を設け、その上に透明導電膜２を層設し、単純ＸＹマトリックス方式の場合、前記透明導電膜２は螢光体層４のパターンとの位置関係が規制されてストライプ状にパターン化され、さらにこの上に配向層３を形成し、
　もう１枚の基板１’に透明電極２’をパターン化し、配向層３’を設け、一方の基板上にガラス微粉末を散布し、両基板を貼合せ、硬化させ、ツィステッドネマティック型のネマティック液晶を注入してカラー液晶セルを作成し、
　前記カラー液晶セルのガラス基板１の後面に紫外光を発するブラックライトや螢光灯などの光源８を置いて前面から観察するカラー液晶表示装置であって、
　前記カラー液晶セルのガラス基板１’の内面に透明電極２’が形成され、その上には液晶分子配向層３’が設けられ、背面側基板１の内面には、赤，緑，青の螢光材料５’，５”，５’”を含有しているカラー螢光体層４が層設され、両ガラス基板１，１’間には液晶６が介在しており、電源７からの電圧印加に応答して液晶分子６が配向変換され背面側からの光源８の透過によりカラー表示が行なわれ、光源８の励起光９がカラー螢光体層４に含有されている螢光材料５’，５”，５’”を励起するため、カラー螢光体層４より螢光１０が発せられ、
　液晶セル内の透明電極２，２’間に電界が印加されない状態では、螢光１０は偏光層１１により偏光され、液晶層６に入射し、液晶層６はツィステッドネマティック状態に配向しているので入射光は偏波面が９０度回転させられた後液晶層６を出射してガラス基板１’の上に設けられた偏光板１２に入射し、偏光層１１と偏光板１２は直交状態（クロスニコル）に配置されているが、液晶層を通過した光は偏光面が９０度回転しているので偏光板１２も通過し観測者１３に達するカラー液晶表示装置。」（以下「引用発明」という。）
　
（３）対比
　ア　本願補正発明と引用発明とを比較すると、引用発明の「カラー液晶セル」、「光源８」、「ガラス基板１’」、「『ガラス基板１』あるいは『背面側基板１』」、「ツィステッドネマティック型のネマティック液晶」、「電界」、「『赤，緑，青の螢光材料５’，５”，５’”』から励起される『螢光１０』」、「赤の螢光材料５’」、「緑の螢光材料５”」、「青の螢光材料５’”」、「偏光板１２」及び「偏光層１１」は、それぞれ本願補正発明の「ディスプレイパネル」、「放射源」、「前面プレート」、「背面プレート」、「液晶」、「電界」、「『励起放射に反応して』『放出』される『赤色光』、『緑色光』及び『青色光』」、「赤色蛍光体材料」、「緑色蛍光体材料」、「青色蛍光体材料」、「第一偏光フィルター層」及び「第二偏光フィルター層」に相当する。
　イ　引用発明の「光源８」は、「カラー螢光体層４が層設され」た「カラー液晶セルのガラス基板１の後面に紫外光を発する」もので「光源８の励起光９がカラー螢光体層４に含有されている螢光材料５’，５”，５’”を励起するため、カラー螢光体層４より螢光１０が発せられ」るからディスプレイを動作させる励起放射を生成するための放射源といえ、引用発明の「カラー螢光体層４」は、「紫外光」が照射されると「螢光１０」が励起されるから、引用発明の「カラー液晶表示装置」は、フォトルミネッセンス液晶ディスプレイといえる。
　ウ　引用発明の「透明電極２，２’」は「単純ＸＹマトリックス方式」が採用され、「透明導電膜２」は「螢光体層４のパターンとの位置関係が規制されてストライプ状にパターン化され」、「透明電極２’」も「パターン化」され、「カラー螢光体層４」は「赤，緑，青の螢光材料５’，５”，５’”」からなり、「背面側基板１の内面」に「層設」され、「液晶セル内の透明電極２，２’間に電界が印加」され、「液晶分子６が配向変換され」、「螢光１０」を「通過」させるから、引用発明の「透明電極２，２’」は、ディスプレイの赤色、緑色および青色ピクセル区域を画定し、光のピクセル区域透過を制御するため、液晶にわたって電界を選定的に誘起するようにピクセル区域で動作可能な電極のマトリクスといえる。
　エ　上記ウから、引用発明の「赤の螢光材料５’」は、赤色ピクセル区域に対応する背面プレートに提供されているといえ、励起放射に反応して赤色光を放出していることは明らかである。また、引用発明の「緑の螢光材料５”」及び「青の螢光材料５’”」も同様である。
　よって、引用発明は、赤色ピクセル区域に対応する背面プレートに提供される、励起放射に反応して赤色光を放出する赤色蛍光体材料と、緑色ピクセル区域に対応する背面プレートに提供される、励起放射に反応して緑色光を放出する緑色蛍光体材料とを含み、青色ピクセル区域に対応する背面プレートに提供される、励起放射に反応して青色光を放出する青色蛍光体材料をさらに含むものといえる。
　オ　本願補正発明の「蛍光体材料が、放射源によって生成された励起放射が液晶に到達して液晶の低下を引き起こすことを防ぐように構成され」がどのような構成を意味しているのか必ずしも明確ではないが、本願明細書の段落【００４２】の「本発明のＬＣＤの効果は、蛍光体色要素プレートをＬＣのバックライティングユニット側に提供することでＵＶ活性化光がＬＣに到達して引き起こす低下を防ぐことによる、ＬＣ寿命の延長である。」という記載から、液晶に対して蛍光体材料を放射源側に配置することを包含しているものと認められる。
　引用発明は「カラー液晶セルのガラス基板１の後面に紫外光を発するブラックライトや螢光灯などの光源８を置いて」おり、「螢光材科を混入した３色からなる樹脂を一方のガラス基板１の上に印刷」しているから、液晶に対して蛍光体材料が光源８（放射源）側に配置されている。
　よって、引用発明は、蛍光体材料が、放射源によって生成された励起放射が液晶に到達して液晶の低下を引き起こすことを防ぐように構成されているものといえる。
　カ　引用発明の「偏光板１２」は「ガラス基板１’の上に設けられ」ており、「偏光層１１」は「螢光材科を混入した３色からなる樹脂」を「印刷」した「一方のガラス基板１」の上に設けられているから、引用発明は、前面プレートに第一偏光フィルター層および背面プレートに第二偏光フィルター層を含んでいるものといえ、引用発明は「偏光層１１と偏光板１２は直交状態（クロスニコル）に配置されている」から、第一偏光フィルター層の偏光方向の向きが第二偏光フィルター層の偏光方向に対して垂直であるといえる。
　キ　上記アないしカから、本願補正発明と引用発明は、
「ディスプレイパネルと、ディスプレイを動作させる励起放射を生成するための放射源とを含む、フォトルミネッセンス液晶ディスプレイであって、ディスプレイパネルが、透明な前面および背面プレートと、前面および背面プレートの間に配設される液晶と、ディスプレイの赤色、緑色および青色ピクセル区域を画定し、光のピクセル区域透過を制御するため、液晶にわたって電界を選定的に誘起するようにピクセル区域で動作可能な電極のマトリクスと、赤色ピクセル区域に対応する背面プレートに提供される、励起放射に反応して赤色光を放出する赤色蛍光体材料と、緑色ピクセル区域に対応する背面プレートに提供される、励起放射に反応して緑色光を放出する緑色蛍光体材料とを含み、
　青色ピクセル区域に対応する背面プレートに提供される、励起放射に反応して青色光を放出する青色蛍光体材料をさらに含み、
　蛍光体材料が、放射源によって生成された励起放射が液晶に到達して液晶の低下を引き起こすことを防ぐように構成され、　
　前面プレートに第一偏光フィルター層および背面プレートに第二偏光フィルター層をさらに含み、第一偏光フィルター層の偏光方向の向きが第二偏光フィルター層の偏光方向に対して垂直である、フォトルミネッセンス液晶ディスプレイ。」
の点で一致し、以下の点で相違している。
［相違点］蛍光体材料の位置に関し、本願補正発明は「蛍光体材料が背面プレートの下面に提供され」と特定されているのに対し、引用発明の「赤，緑，青の螢光材料５’，５”，５’”」（蛍光体材料）は、背面側基板１（背面プレート）の内面に設けられており、背面プレートの下面に提供されるとはいえない点。
　
（４）判断
　上記相違点について検討する。
　本願明細書には以下の記載がある。
「【００４８】
　本発明が記載される特有の態様に限られず、変形態様を本発明の範囲内で作製できることが認識される。例として、製作の容易さのために、蛍光体色要素プレートを背面プレートの下側に製作できる一方で、他の配置では、背面プレートの上表面および色要素プレートの上部に提供される第一偏光フィルター上に提供できる。」
　上記記載によると、製作の容易さのために蛍光体色要素プレートを背面プレートの下側に製作しているものといえるが、製作を容易にすることは、制作物において自明の課題であり、引用発明において、製作の容易のために蛍光体材料の位置をガラス基板１（背面プレート）の下面にすることは、設計事項程度のことに過ぎない。
　また、刊行物１の上記エの記載から、引用発明の「赤，緑，青の螢光材料５’，５”，５’”」（蛍光体材料）の位置は変更可能であることが示唆され、原査定の拒絶の理由に引用され、本願の優先権主張日前に頒布された特開２００３−４３４８３号公報（以下「刊行物２」という。特に【図２】及び【図８】参照。）には、素子基板１０１と対向基板１０２を有する液晶光変調部１２０のバックライト部４００側に蛍光体層４５０を配置することが記載されているから、引用発明に上記刊行物２に記載された事項を適用し、蛍光体材料の位置をガラス基板１（背面プレート）の光源８側、即ち、下面にすることは、当業者が容易になし得る程度のことである。
　よって、本願補正発明の上記相違点に係る構成となすことは、設計事項に過ぎないものであるか、当業者が容易になし得る程度のことである。
　
　以上のとおりであるから、本願補正発明の相違点に係る構成は、刊行物１に記載された発明に基づいて、あるいは刊行物１に記載された発明及び刊行物２に記載の事項に基づいて当業者が容易に想到することができたものであり、それにより得られる効果も当業者が予測できる範囲のものである。
　
　したがって、本願補正発明は、刊行物１に記載された発明に基づいて、あるいは刊行物１に記載された発明及び刊行物２に記載の事項に基づいて、当業者が容易に発明をすることができたものであるから、特許法第２９条第２項の規定により特許出願の際独立して特許を受けることができないものである。
　
（５）回答書の補正案について
　請求人は、平成２４年１１月１５日付け回答書で、本願請求項１の「放射源」を、「４００〜４８０nmの範囲の波長を有する青色光を放出する光放出ダイオードである放射源」との記載に変更し、「青色ピクセル区域に対応する背面プレートの区域が、放射源からの青色光の透過を許容するために、蛍光体材料を含まず」との記載を加え、「青色ピクセル区域に対応する背面プレートに提供される、励起放射に反応して青色光を放出する青色蛍光体材料をさらに含み」との記載を削除する補正案を提示しているが、「青色ピクセル区域に対応する背面プレートに提供される、励起放射に反応して青色光を放出する青色蛍光体材料をさらに含み」との記載を削除することは、特許請求の範囲の減縮にも誤記の訂正にも明瞭でない記載の釈明にも請求項の削除にも該当しない。
　また、青色光の波長が４００〜４８０nm程度の範囲であることは、技術常識であるから、請求人が補正しようとしている事項は、刊行物２に記載されており、補正案が進歩性を有するとはいえない。
　よって、請求人の補正案を採用することはできない。
　
（６）むすび
　以上のとおり、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
３　本願発明について
　平成２４年１月６日付けの手続補正は上記のとおり却下されたので、本願の請求項１〜１０に係る発明は、平成２２年１１月５日付け手続補正後の特許請求の範囲、明細書及び図面からみて、その特許請求の範囲の請求項１〜１０に記載された事項により特定されるとおりのものと認められるところ、その請求項１に係る発明（以下「本願発明」という。）は、次のとおりである。
　
「ディスプレイパネルと、ディスプレイを動作させる励起放射を生成するための放射源とを含む、フォトルミネッセンス液晶ディスプレイであって、ディスプレイパネルが、透明な前面および背面プレートと、前面および背面プレートの間に配設される液晶と、ディスプレイの赤色、緑色および青色ピクセル区域を画定し、光のピクセル区域透過を制御するため、液晶にわたって電界を選定的に誘起するようにピクセル区域で動作可能な電極のマトリクスと、赤色ピクセル区域に対応する背面プレートに提供される、励起放射に反応して赤色光を放出する赤色蛍光体材料と、緑色ピクセル区域に対応する背面プレートに提供される、励起放射に反応して緑色光を放出する緑色蛍光体材料とを含み、
　青色ピクセル区域に対応する背面プレートに提供される、励起放射に反応して青色光を放出する青色蛍光体材料をさらに含み、
　蛍光体材料が背面プレートの下面に提供され、
　前面プレートに第一偏光フィルター層および背面プレートに第二偏光フィルター層をさらに含み、第一偏光フィルター層の偏光方向の向きが第二偏光フィルター層の偏光方向に対して垂直である、フォトルミネッセンス液晶ディスプレイ。」
　
（１）引用刊行物
　原査定の拒絶の理由に引用された刊行物及びその記載事項は、前記「２（２）」に記載したとおりである。
　
（２）対比・判断
　本願発明は、前記２で検討した本願補正発明から「蛍光体材料」についての限定事項である「蛍光体材料が、放射源によって生成された励起放射が液晶に到達して液晶の低下を引き起こすことを防ぐように構成され」との構成を省いたものである。
　そうすると、本願発明の発明を特定する事項を全て含み、さらなる限定を付加したものに相当する本願補正発明が、前記「２（４）」に記載したとおり、刊行物１に記載された発明に基づいて、あるいは刊行物１に記載された発明及び刊行物２に記載の事項に基づいて、当業者が容易に発明をすることができたものであるから、本願発明も、同様の理由により、刊行物１に記載された発明に基づいて、あるいは刊行物１に記載された発明及び刊行物２に記載の事項に基づいて、当業者が容易に発明をすることができたものである。
　
（３）むすび
　以上のとおり、本願発明は、刊行物１に記載された発明に基づいて、あるいは刊行物１に記載された発明及び刊行物２に記載の事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。